(57)【要約】【課題】イグナイタの動作によるノイズの影響を受けにくく、音声等による報知が適正に行われやすい燃焼装置を提供する。【解決手段】ガスコンロ１は、ガスバーナと、ガスバーナに点火するためのイグナイタ１５と、音声、ビープ音等の音を発生させる音声合成ＬＳＩ２０と、音声合成ＬＳＩ２０と同期通信を行い、音声合成ＬＳＩ２０に、発生させる音に係る指示を行う制御部１４と、を備える。制御部１４は、イグナイタ１５が動作しているときには、音声合成ＬＳＩ２０と同期通信を行わない。【選択図】図２
2019060530.tif 000002
【特許請求の範囲】
【請求項１】
バーナと、
前記バーナに点火するためのイグナイタと、
音声、ビープ音等の音を発生させる音発生回路と、
前記音発生回路と同期通信を行い、前記音発生回路に、発生させる音に係る指示を行う制御部と、を備え、
前記制御部は、前記イグナイタが動作しているときには、前記音発生回路と前記同期通信を行わない、
ことを特徴とする燃焼装置。
【請求項２】
請求項１に記載の燃焼装置において、
前記制御部は、前記音発生回路から音を発生させるタイミングが到来したとき、前記イグナイタが動作していれば前記同期通信を開始せず、前記イグナイタの動作停止に基づいて前記同期通信を開始する、
ことを特徴とする燃焼装置。
【請求項３】
請求項１または２に記載の燃焼装置において、
前記制御部は、前記音発生回路と前記同期通信を行っている間、前記イグナイタの動作開始に基づいて前記同期通信を中断し、前記イグナイタの動作停止に基づいて前記同期通信を再開する、
ことを特徴とする燃焼装置。
【請求項４】
請求項２または３に記載の燃焼装置において、
前記イグナイタの動作を検出するための動作検出部をさらに備え、
前記制御部は、前記動作検出部の検出結果に基づいて、前記イグナイタの動作および動作の停止を判定する、
ことを特徴とする燃焼装置。
【発明の詳細な説明】
【技術分野】
【０００１】
本発明は、ガスコンロ、ガス給湯器など、イグナイタにより点火が行われる燃焼装置に関する。
【背景技術】
【０００２】
近年、火力を自動で調節することにより自動調理が行えるガスコンロが商品化されている。また、自動調理の機能が備えられたこともあり、近年、ガスコンロでは、音声合成ＬＳＩ等の音声発生回路が搭載され、自動調理の終了などが音声発生回路からの音声、ビープ音などの音により報知されるようになってきている。
【０００３】
音声発生回路から所望の音声を発生させるため、ガスコンロに搭載されたマイクロコンピュータ（以下、「マイコン」と略する）と音声発生回路との間では、マイコンから出力されたクロック信号に同期させてデータ信号を送受信する同期通信が行われ得る。特許文献１には、同期通信が行われる通信装置について、開示がなされている。
【先行技術文献】
【特許文献】
【０００４】
【特許文献１】特許第４７５０２９７号公報
【発明の概要】
【発明が解決しようとする課題】
【０００５】
ガスコンロでは、ガスバーナを点火するためにイグナイタ（点火装置）が用いられる。イグナイタが動作して点火プラグに放電が発生すると、ガスコンロ内には、大きなノイズが発生しやすい。
【０００６】
マイコンと音声発生回路との間で同期通信が行われている最中にも、イグナイタが動作し得る。たとえば、一つのガスバーナでの自動調理が終了し、終了の報知がなされようとしたタイミングで、他のガスバーナで調理を行おうとして点火が行われるような場合である。このような場合、データ信号にノイズが乗りやすくなるので、誤ったデータ信号の送受信が行われやすくなり、音声発生回路から音声等が適正に出力されなくなりやすい。
【０００７】
なお、ガス給湯器など、イグナイタで点火が行われるガスコンロ以外の燃焼装置においても、近年、音声発生回路が搭載され、種々の場面において音声等による報知がなされるようになってきており、上記と同様の課題が生じ得る。
【０００８】
かかる課題に鑑み、本発明は、イグナイタの動作によるノイズの影響を受けにくく、音声等による報知が適正に行われやすい燃焼装置を提供することを目的とする。
【課題を解決するための手段】
【０００９】
本発明の主たる態様に係る燃焼装置は、バーナと、前記バーナに点火するためのイグナイタと、音声、ビープ音等の音を発生させる音発生回路と、前記音発生回路と同期通信を行い、前記音発生回路に、発生させる音に係る指示を行う制御部と、を備える。ここで、前記制御部は、前記イグナイタが動作しているときには、前記音発生回路と前記同期通信を行わない。
【００１０】
上記の構成によれば、イグナイタの動作に起因して燃焼装置内に大きなノイズが発生しても、音発生回路が、そのノイズの影響を受けにくい。よって、音発生回路により適正に音声等を発生させることができる。
【００１１】
本態様に係る燃焼装置において、前記制御部は、前記音発生回路から音を発生させるタイミングが到来したとき、前記イグナイタが動作していれば前記同期通信を開始せず、前記イグナイタの動作停止に基づいて前記同期通信を開始するような構成とされ得る。
【００１２】
上記の構成によれば、音発生回路は、同期通信が開始されるタイミングにおいて、イグナイタの動作に起因するノイズの影響を受けにくくなる。
【００１３】
本態様に係る燃焼装置において、前記制御部は、前記音発生回路と前記同期通信を行っている間、前記イグナイタの動作開始に基づいて前記同期通信を中断し、前記イグナイタの動作停止に基づいて前記同期通信を再開するような構成とされ得る。
【００１４】
上記の構成によれば、音発生回路は、同期通信中において、イグナイタの動作に起因するノイズの影響を受けにくくなる。
【００１５】
本態様に係る燃焼装置において、前記イグナイタの動作を検出するための動作検出部をさらに備え、前記制御部は、前記動作検出部の検出結果に基づいて、前記イグナイタの動作および動作の停止を判定するような構成が採られ得る。
【００１６】
上記の構成によれば、制御部がイグナイタを制御しない構成であっても、制御部がイグナイタの動作および動作の停止を判定できる。
【発明の効果】
【００１７】
以上のとおり、本発明によれば、イグナイタの動作によるノイズの影響を受けにくく、音声等による報知が適正に行われやすい燃焼装置を提供することができる。
【００１８】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１９】
【図１】図１は、実施の形態に係る、ガスコンロの構成を示す斜視図である。
【図２】図２は、実施の形態に係る、ガスコンロの構成を示すブロック図である。
【図３】図３は、実施の形態に係る、音声報知のための制御動作を示すフローチャートである。
【図４】図４（ａ）は、実施の形態に係る、音声の報知タイミングにおいてイグナイタが動作しておらず、同期通信中もイグナイタが動作しなかった場合のクロック信号とデータ信号を示す図であり、図４（ｂ）は、実施の形態に係る、音声の報知タイミングにおいてイグナイタが動作中であった場合のクロック信号とデータ信号を示す図であり、図４（ｃ）は、実施の形態に係る、同期通信中にイグナイタが動作した場合のクロック信号とデータ信号を示す図である。
【図５】図５は、変更例１に係る、ガスコンロの構成を示すブロック図である。
【発明を実施するための形態】
【００２０】
以下、本発明の燃焼装置の一実施形態であるガスコンロ１について図面を参照して説明する。
【００２１】
本実施の形態において、ガスバーナ４ａ、４ｂ、４ｃが、特許請求の範囲に記載の「バーナ」に対応する。また、音声合成ＬＳＩ２０が、特許請求の範囲に記載の「音発生回路」に対応する。
【００２２】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２３】
図１は、本実施の形態に係る、ガスコンロ１の構成を示す斜視図である。
【００２４】
ガスコンロ１は、コンロ本体２の上方に天板３を備える。天板３には、３つのガスバーナ４ａ、４ｂ、４ｃが配置される。ガスバーナ４ａ、４ｂ、４ｃは、ガスを燃料として燃焼する。また、天板３の後部には、左右に並ぶように２つの排気口５が設けられる。
【００２５】
コンロ本体２の内部には、中央部にグリル部６が設けられる。グリル部６には、上下にグリルバーナ（図示せず）が設けられ、グリルバーナの燃焼によりグリル調理が行われる。グリル部６からは排気口５を通じて排気が行われる。
【００２６】
コンロ本体２の正面には、中央部にグリル扉７が設けられる。グリル扉７の裏側にグリル皿（図示せず）が一体的に設けられ、グリル扉７を前方に移動させることで、グリル皿をグリル部６から外部へ引き出すことができる。また、コンロ本体２の正面には、グリル扉７の右側および左側に、それぞれ、ガスバーナ用の操作部８と、グリル用の操作部９とが設けられる。
【００２７】
操作部８は、３つのガスバーナ４ａ、４ｂ、４ｃに対応する３つの点火ボタン１０ａ、１０ｂ、１０ｃと、カンガルーポケット型の操作パネル１１と、を含む。点火ボタン１０ａ、１０ｂ、１０ｃは、それぞれに対応するガスバーナ４ａ、４ｂ、４ｃに点火するとき、点火しているガスバーナ４ａ、４ｂ、４ｃを消火するときに操作される。操作パネル１１には、ガスバーナ４ａ、４ｂ、４ｃを用いた複数の自動調理コースやその他の情報が表示される表示部、所望の自動調理コースを選択するための選択キー、ガスバーナ４ａ、４ｂ、４ｃの火力の手動調節に用いられる調節キーなどが設けられる。
【００２８】
操作部９は、点火ボタン１２と、カンガルーポケット型の操作パネル１３と、を含む。点火ボタン１２は、グリル部６のグリルバーナに点火するとき、点火しているグリルバーナを消火するときに操作される。操作パネル１３には、グリル部６を用いた複数の自動調理コースやその他の情報が表示される表示部、所望の自動調理コースを選択するための選択キー、グリルバーナの火力の手動調節に用いられる調節キーなどが設けられる。
【００２９】
図２は、本実施の形態に係る、ガスコンロ１の構成を示すブロック図である。
【００３０】
ガスコンロ１は、上述した構成の他、マイクロコンピュータ等を含む制御部１４を備える。操作部８、９からの操作信号が制御部１４へ入力される。
【００３１】
また、ガスコンロ１は、３つのガスバーナ４ａ、４ｂ、４ｃおよびグリル部６のグリルバーナに点火するためのイグナイタ１５を備える。イグナイタ１５は、スイッチング素子１８を介して電源部１９に接続される。スイッチング素子１８は、制御部１４によりオンオフ制御される。
【００３２】
さらに、ガスコンロ１は、ガスバーナ４ａ、４ｂ、４ｃに関わる構成として、３つの安全弁１６ａ、１６ｂ、１６ｃと、３つの火炎検出部１７ａ、１７ｂ、１７ｃとを備える。３つの安全弁１６ａ、１６ｂ、１６ｃは、それぞれに対応するガスバーナ４ａ、４ｂ、４ｃへのガス供給路に設けられ、制御部１４により開閉制御される。３つの火炎検出部１７ａ、１７ｂ、１７ｃは、熱電対あるいはフレームロッドにより構成され、それぞれに対応するガスバーナ４ａ、４ｂ、４ｃが点火したことを検出し、火炎検出信号を制御部１４に出力する。
【００３３】
操作部８の何れかの点火ボタン１０ａ、１０ｂ、１０ｃが操作され、その操作が制御部１４により受け付けられると、制御部１４によりスイッチング素子１８がオンされる。これにより、電源部１９からイグナイタ１５へ駆動電圧が供給されて、イグナイタ１５が作動する。また、制御部１４により、点火されるガスバーナ４ａ、４ｂ、４ｃに対応する安全弁１６ａ、１６ｂ、１６ｃが開放され、そのガスバーナ４ａ、４ｂ、４ｃにガスが供給される。イグナイタ１５が動作すると、各ガスバーナ４ａ、４ｂ、４ｃに配置された点火プラグに放電が発生し、３つのガスバーナ４ａ、４ｂ、４ｃのうち、ガスが供給されたガスバーナ４ａ、４ｂ、４ｃが点火する。なお、イグナイタ１５が動作したとき、グリル部６のグリルバーナに設けられた点火プラグからも放電が発生する。点火したガスバーナ４ａ、４ｂ、４ｃに対応する火炎検出部１７ａ、１７ｂ、１７ｃにより点火が検出されると、制御部１４によりスイッチング素子１８がオフされイグナイタ１５が停止し、各点火プラグの放電が停止する。
【００３４】
ガスバーナ４ａ、４ｂ、４ｃが燃焼している状態で、そのガスバーナ４ａ、４ｂ、４ｃに対応する点火ボタン１０ａ、１０ｂ、１０ｃが操作されると、制御部１４により、そのガスバーナ４ａ、４ｂ、４ｃに対応する安全弁１６ａ、１６ｂ、１６ｃが閉鎖され、そのガスバーナ４ａ、４ｂ、４ｃが消火する。
【００３５】
さらに、ガスコンロ１は、自動調理が開始されること、自動調理が終了したことなど、ガスコンロ１に係る種々の情報を音声（ビープ音を含む）により使用者に伝達する音声報知機能を有する。このため、ガスコンロ１は、音声合成ＬＳＩ２０を備える。
【００３６】
音声合成ＬＳＩ２０は、ＤＡコンバータ２１およびアンプ２２を介してスピーカ２３に接続される。制御部１４と音声合成ＬＳＩ２０との間では、制御部１４から出力されたクロック信号に同期させて音声発生用のデータ信号を送受信する同期通信が行われる。制御部１４と音声合成ＬＳＩ２０とは、クロック信号が流れる信号線とデータ信号が流れる信号線とで接続される。
【００３７】
音声合成ＬＳＩ２０は、複数種類の音声データを保有している。音声データには、たとえば、自動調理に関連する“調理を開始します”、“まもなく調理が終了します”、“調理が終了しました”などの人の声の音声データが含まれる。また、“ピッ”、“ピッピッピッ”などのビープ音の音声データが含まれる。
【００３８】
音声発生用のデータ信号には、制御部１４から音声合成ＬＳＩ２０へ送信されるコマンド信号、音声合成ＬＳＩ２０から制御部１４へ送信されるアクノリッジ信号などが含まれる。コマンド信号には、発生させる音声データの保存先のアドレスを示すアドレス信号、再生音量を示す音量信号、再生速度を示す速度信号などが含まれる。
【００３９】
音声合成ＬＳＩ２０は、保有する音声データのうち、コマンド信号により特定された音声データを、デジタルの音声信号として出力する。デジタルの音声信号は、ＤＡコンバータ２１でアナログの音声信号に変換され、アナログの音声信号がアンプ２２で増幅されてスピーカ２３に入力される。スピーカ２３からは、入力された音声信号に基づく音声、たとえば、“調理が終了しました”などの音声が出力される。
【００４０】
なお、図２では、グリルバーナのためのイグナイタや安全弁など、グリル部６に関わる構成の図示が省略されている。
【００４１】
さて、ガスコンロ１において、制御部１４と音声合成ＬＳＩ２０との間で同期通信が行われている最中にも、イグナイタ１５が動作し得る。たとえば、一つのガスバーナ４ａでの自動調理が終了し、終了の報知がなされようとしたタイミングで、他のガスバーナ４ｂ、４ｃやグリル部６で調理を行おうとして点火が行われるような場合である。このような場合、データ信号にノイズが乗りやすくなるので、誤ったデータ信号の送受信が行われやすくなり、音声合成ＬＳＩ２０から音声等が適正に出力されなくなりやすい。
【００４２】
そこで、本実施の形態のガスコンロ１では、イグナイタ１５の動作によるノイズの影響を受けにくく、音声等による報知が適正に行われやすくなるような音声報知のための制御が実行される。この音声報知のための制御動作について、以下、詳細に説明する。
【００４３】
図３は、本実施の形態に係る、音声報知のための制御動作を示すフローチャートである。
【００４４】
図３を参照して、制御部１４は、音声の報知タイミングが到来したか否かを監視する（Ｓ１０１）。たとえば、ガスバーナ４ａ、４ｂ、４ｃによる自動調理の終了したとき、音声の報知タイミングが到来する。報知タイミングが到来すると（Ｓ１０１：ＹＥＳ）、制御部１４は、現在、イグナイタ１５が動作中であるか否かを判定する（Ｓ１０２）。
【００４５】
イグナイタ１５が動作していなければ（Ｓ１０２：ＮＯ）、制御部１４は、音声合成ＬＳＩ２０との同期通信を開始する（Ｓ１０３）。即ち、制御部１４は、音声合成ＬＳＩ２０へのクロック信号の送信、および音声合成ＬＳＩ２０とのデータ信号の送受信を開始する。一方、イグナイタ１５が動作中であるとき（Ｓ１０２：ＹＥＳ）、制御部１４は、音声合成ＬＳＩ２０との同期通信を開始せず、イグナイタ１５が停止するのを待つ。そして、イグナイタ１５が停止すると（Ｓ１０２：ＮＯ）、制御部１４は、同期通信を開始する（Ｓ１０３）。
【００４６】
制御部１４は、今回の音声報知に係る同期通信が行われている間（Ｓ１０４：ＮＯ）、イグナイタ１５の動作が開始されるか否かを監視する（Ｓ１０５）。制御部１４は、イグナイタ１５を動作させるために、自身がスイッチング素子１８をオンするとき、イグナイタ１５の動作が開始されると判定する（Ｓ１０５：ＹＥＳ）。この場合、制御部１４は、音声合成ＬＳＩ２０との同期通信を中断する（Ｓ１０６）。即ち、制御部１４は、音声合成ＬＳＩ２０へのクロック信号の送信、および音声合成ＬＳＩ２０とのデータ信号の送受信を停止する。
【００４７】
その後、制御部１４は、イグナイタ１５の動作が停止したか否かを監視する（Ｓ１０７）。制御部１４は、イグナイタ１５の動作を停止させるために、自身がスイッチング素子１８をオフしたとき、イグナイタ１５の動作が停止した判定する（Ｓ１０７：ＹＥＳ）。この場合、制御部１４は、音声合成ＬＳＩ２０との同期通信を再開する（Ｓ１０８）。即ち、制御部１４は、音声合成ＬＳＩ２０へのクロック信号の送信、および音声合成ＬＳＩ２０とのデータ信号の送受信を再開する。このとき、データ送信は、最初からやり直されるのではなく、中断前に送られたデータに続くテータからの送信再開となる。
【００４８】
制御部１４は、今回の音声報知に係る同期通信が完了すると（Ｓ１０４：ＹＥＳ）、Ｓ１０１の処理に戻って、新たな報知タイミングの到来を待つ。
【００４９】
図４（ａ）は、本実施の形態に係る、音声の報知タイミングにおいてイグナイタ１５が動作しておらず、同期通信中もイグナイタ１５が動作しなかった場合のクロック信号とデータ信号を示す図であり、図４（ｂ）は、本実施の形態に係る、音声の報知タイミングにおいてイグナイタ１５が動作中であった場合のクロック信号とデータ信号を示す図であり、図４（ｃ）は、本実施の形態に係る、同期通信中にイグナイタ１５が動作した場合のクロック信号とデータ信号を示す図である。
【００５０】
音声の報知タイミングにおいてイグナイタ１５が動作しておらず、同期通信中もイグナイタ１５が動作しなかった場合、図４（ａ）のように、報知タイミングの到来後直ちに、クロック信号の送信およびデータ信号の送受信が開始され、その後、中断されることなくクロック信号の送信およびデータ信号の送受信が終了する。
【００５１】
一方、音声の報知タイミングにおいてイグナイタ１５が動作中であった場合は、図４（ｂ）のように、イグナイタ１５の停止後直ちに、クロック信号の送信およびデータ信号の送受信が開始され、その後、中断されることなくクロック信号の送信およびデータ信号の送受信が終了する。また、同期通信中にイグナイタ１５が動作した場合、図４（ｃ）のように、イグナイタ１５が動作している期間、クロック信号の送信およびデータ信号の送受信が中断される。
【００５２】
なお、図４（ｂ）、（ｃ）のように、イグナイタ１５の動作により同期通信の開始遅れや中断が生じ、これによって音声報知に遅れが生じても、イグナイタ１５の動作期間はせいぜい数秒程度であり、音声報知も遅延もせいぜい数秒程度となるため、実質的な問題は生じない。
【００５３】
＜実施の形態の効果＞
本実施形態によれば、以下の効果が奏され得る。
【００５４】
イグナイタ１５が動作しているときには、制御部１４と音声合成ＬＳＩ２０との間で同期通信が行われない。このため、イグナイタ１５の動作に起因してガスコンロ１内に大きなノイズが発生しても、音声合成ＬＳＩ２０は、そのノイズの影響を受けにくく、適正に音声信号を出力でき、スピーカ２３から音声を適正に発生させることができる。
【００５５】
また、音声の発生タイミングが到来したとき、イグナイタ１５が動作していれば同期通信が開始されず、イグナイタ１５の動作が停止した後に同期通信が開始される。このため、音声合成ＬＳＩ２０は、同期通信が開始されるタイミングにおいて、イグナイタ１５の動作に起因するノイズの影響を受けにくくなる。
【００５６】
さらに、同期通信が行われている間にイグナイタ１５が動作するとき、同期通信が中断され、イグナイタ１５の動作が停止した後に同期通信が再開される。このため、音声合成ＬＳＩ２０は、同期通信中において、イグナイタ１５の動作に起因するノイズの影響を受けにくくなる。また、イグナイタ１５の停止後のデータ送信は、最初のデータからの送信のやり直しではなく、中断前のデータに続くデータからの送信の再開となるため、音声報知の遅延時間が長くならない。
【００５７】
以上、本発明の実施の形態について説明したが、本発明は、上記実施の形態によって何ら制限されるものではなく、また、本発明の実施の形態も、上記以外に種々の変更が可能である。
【００５８】
＜変更例１＞
図５は、変更例１に係る、ガスコンロ１の構成を示すブロック図である。
【００５９】
上記実施の形態では、操作部８の点火ボタン１０ａ、１０ｂ、１０ｃの操作に基づいて制御部１４がスイッチング素子１８をオンすることにより、イグナイタ１５が動作した。これに対し、本変更例では、ガスコンロ１が、３つのガスバーナ４ａ、４ｂ、４ｃに対応する３つの押込み式の点火ボタン２４ａ、２４ｂ、２４ｃと、各点火ボタン２４ａ、２４ｂ、２４ｃにより開閉される機械的な接点スイッチ２５ａ、２５ｂ、２５ｃと、を備え、イグナイタ１５が、並列接続された３つの接点スイッチ２５ａ、２５ｂ、２５ｃを介して電源部１９に接続される。点火ボタン２４ａ、２４ｂ、２４ｃは、操作部８の点火ボタン１０ａ、１０ｂ、１０ｃに替えて、コンロ本体２の正面に設けられる。
【００６０】
接点スイッチ２５ａ、２５ｂ、２５ｃとイグナイタ１５とを結ぶ信号線の途中に電圧検出回路２６が接続される。電圧検出回路２６は、特許請求の範囲に記載の「動作検出部」に対応する。
【００６１】
点火ボタン２４ａ、２４ｂ、２４ｃにより接点スイッチ２５ａ、２５ｂ、２５ｃが押されている間、接点スイッチ２５ａ、２５ｂ、２５ｃが閉鎖されて、電源部１９からイグナイタ１５へ駆動電圧が印加され、イグナイタ１５が動作する。電源部１９からの駆動電圧が電圧検出回路２６により検出されて、電圧検出信号が制御部１４に入力される。
【００６２】
本変更例においても、図３により説明した音声報知の制御動作が実行される。この場合に、制御部１４は、Ｓ１０２において、電圧検出回路２６によって駆動電圧が検出されていれば、イグナイタ１５が動作中であると判定する。また、制御部１４は、Ｓ１０５において、電圧検出回路２６によって駆動電圧が検出されたとき、イグナイタ１５の動作が開始されると判定する。さらに、制御部１４は、Ｓ１０７において、電圧検出回路２６によって駆動電圧の検出がされなくなったとき、イグナイタ１５の動作が停止したと判定する。
【００６３】
このように、本変更例によれば、制御部１４がイグナイタ１５を制御しない構成であっても、制御部１４がイグナイタ１５の動作および動作の停止を判定できる。
【００６４】
＜その他の変更例＞
上記実施の形態では、制御部１４は、自身がスイッチング素子１８をオフしたときにイグナイタ１５の動作が停止したと判定した。しかしながら、制御部１４は、火炎検出部１７ａ、１７ｂ、１７ｃによりガスバーナ４ａ、４ｂ、４ｃの点火が検出されたときに、イグナイタ１５の動作が停止したと判定してもよい。
【００６５】
また、上記実施の形態では、制御部１４は、イグナイタ１５の動作が開始すると判定したときに音声合成ＬＳＩ２０との同期通信を中断した。しかしながら、制御部１４は、イグナイタ１５の動作が開始したと判定したときに音声合成ＬＳＩ２０との同期通信を中断してもよい。ただし、制御部１４がイグナイタ１５の動作が開始すると判定したときに音声合成ＬＳＩ２０との同期通信を中断する場合、イグナイタ１５の動作の開始前あるいは開始と同時に同期通信の中断が可能となるため、より望ましい。また、上記実施の形態では、制御部１４は、イグナイタ１５の動作が停止したと判定したときに音声合成ＬＳＩ２０との同期通信を再開した。しかしながら、制御部１４は、イグナイタ１５の動作が停止する判定したときに音声合成ＬＳＩ２０との同期通信を再開してもよい。ただし、制御部１４がイグナイタ１５の動作が停止した判定したときに音声合成ＬＳＩ２０との同期通信を再開する場合、イグナイタ１５が確実に停止した後に同期通信が再開されることになるので、より望ましい。
【００６６】
さらに、上記実施の形態では、ガスコンロ１に３つのガスバーナ４ａ、４ｂ、４ｃが備えられたが、ガスコンロ１に備えられるガスバーナの個数はいくつであってもよい。
【００６７】
さらに、上記実施の形態では、本発明の燃焼装置の一例であるガスコンロ１について説明がなされた。しかしながら、本発明は、ガスコンロ１以外の、イグナイタにより点火される燃焼装置、たとえば、ガス給湯器、ガスファンヒータ、石油ファンヒータにも適用することができる。
【００６８】
この他、本発明の実施形態は、特許請求の範囲に記載の範囲で適宜変更可能である。
【符号の説明】
【００６９】
１  ガスコンロ（燃焼装置）
４ａ  ガスバーナ（バーナ）
４ｂ  ガスバーナ（バーナ）
４ｃ  ガスバーナ（バーナ）
１４  制御部
１５  イグナイタ
２０  音声合成ＬＳＩ（音発生回路）
２６  電圧検出回路（動作検出部）
【図１】
2019060530.tif 000003
【図２】
2019060530.tif 000004
【図３】
2019060530.tif 000005
【図４】
2019060530.tif 000006
【図５】
2019060530.tif 000007